(57)【要約】【目的】襖の乾燥を効率的に行える襖の乾燥装置を提供する。【構成】襖押さえバー４ａは、左右のフレーム３ａ、３ｃの上端、下端に設けられたスプロケット５に張られたチェーン６に設けられたブラケット７に取り付けられ、駆動力でフレーム３ａ、３ｂ、３ｃに沿って昇降できる構成であり、ブラケット７に対しても一定範囲昇降ができる構成とされ、襖押さえバー４ａは、側面視略コの字状のハンガー１０に取り付けられている。このハンガー１０のブラケット７のガイド部７１に保持されている。ハンガー１０には２本のガイド１１ａ、１１ｂが設けられガイド１１ａには第１バネ１２ａと第２バネ１２ｂが設けられている。第１バネ１２ａと第２バネの間にスペーサー１３が設けられている。【選択図】  図７
2004211512.tif 000002
【特許請求の範囲】
【請求項１】
水平方向に設置された二本の襖押さえバーの間に襖を挟み込んで対抗する二端面を加熱して乾燥させる襖乾燥装置において、少なくとも一本の襖押さえバーは昇降自在であり、上記襖押さえバーの間隔を変更することにより襖の縦方向、横方向のどちらの端面の乾燥も可能とすることを特徴とする襖の乾燥装置。
【請求項２】
作業者により押された運転スイッチからの信号を受け、自動的に襖押さえバーを移動させ、襖を襖押さえバー間に挟み込み、所定時間乾燥させた後に襖の挟み込みを解除することを特徴とする請求項１記載の襖の乾燥装置。
【請求項３】
襖押さえバーに、発熱体と、弾性変形をする押さえ部材と、上記発熱体と上記押さえ部材を覆う伝熱体からなる加熱部を構成し、襖枠に釘が残った状態でも襖の乾燥ができることを特徴とする請求項１または請求項２記載の襖の乾燥装置。
【請求項４】
二本の襖押さえバーの間に襖を挟み込んで対抗する二端面を加熱して乾燥させる襖乾燥装置において、襖を挟み込む際の襖押さえバーの襖への押付け力を調整可能としたことを特徴とする請求項１乃至請求項３記載の襖の乾燥装置。
【発明の詳細な説明】
【０００１】
【産業上の利用分野】
本発明は襖を製造する工程中で襖枠に襖紙を貼付した際に襖枠外周のかまち部を乾燥するために利用される。特に頻度の多い襖紙の貼り替え時に有効に利用されるものである。
【０００２】
【従来の技術】
襖は、長方形の襖枠に３枚の受け紙を糊で下貼りし、次にその上に襖紙（表紙）を上貼りし、しかるのち襖枠の四周のかまちに上縁、立て縁、下縁をれぞれ釘で取り付け、表裏両面に引き手を取り付けて作られる。
【０００３】
上貼りの際は、襖紙を襖枠の大きさよりも縦横にそれぞれ約２ｃｍ広く裁断し、その裏面全体にうすい糊を、また四周に濃い糊を塗って貼付け、この襖紙の四周を折曲げて襖枠の外周面に押さえつけ、しかるのち自然乾燥させていた。
【０００４】
そこで糊付け、上貼りした襖枠を２本の押さえバーで挟んで押さえバーに張設した面発熱体を襖枠の対向する２辺の周面に圧接させ、この面発熱体に通電することにより発熱させて、襖枠の２辺の周面を短時間で乾燥する装置（実公平５−３１５１５号）が知られている。
【０００５】
そしてさらに、襖枠の周面に釘が取り付いた状態でも、襖枠を押さえることができて、さらに熱により乾燥を早くさせるという襖の乾燥装置も本出願人により提案（特開２００２−９７８５３号）され知られている。
【０００６】
【発明が解決しようとする課題】
従来知られている特開２００２−９７８５３号においては、▲１▼長さ方向の乾燥はできるが縦方向はできない。▲２▼また襖の乾燥のための挟み込み等全て作業者が手作業でやらねばならず、他の作業も効率的に行いながらするには乾燥工程に手がかかりすぎる装置となってしまっていた。
【０００７】
実公平５−３１５１５号においては、▲１▼長い面発熱体を使用しており、乾燥のために接していない部分の面発熱体も加熱した状態となるためエネルギーコストが余分にかかる構成となってしまっていた。▲２▼また面発熱体が損傷してしまった場合には、また長い面発熱体を用意して交換しなければならず、コストがかかってしまう構造となっていた。▲３▼また、流体シリンダを利用して摺動する方向が水平方向となっており、襖の縦横の両方を乾燥する場合には設置面積を大きく取ってしまう装置となってしまっていた。▲４▼襖枠に釘が残っている場合は乾燥させることができず、乾燥をするためには釘を取らなければならなかった。本発明は上記の課題を解決するために提供されるものである。
【０００８】
【課題を解決するための手段】
本発明の請求項１は、水平方向に設置された二本の襖押さえバーの間に襖を挟み込んで対抗する二端面を加熱して乾燥させる襖乾燥装置において、少なくとも一本の襖押さえバーは昇降自在であり、上記襖押さえバーの間隔を変更することにより襖の縦方向、横方向のどちらの端面の乾燥も可能とすることを特徴とする襖の乾燥装置である。
【０００９】
襖押さえバーを水平方向に設置して垂直方向へ襖押さえバーを移動可能としているために、従来の特開２００２−９７８５３号の手動で操作する装置と設置幅においてはほぼ同等の設置スペースで装置が設置でき、襖の縦方向、横方向共に乾燥させることができる。
【００１０】
本発明の請求項２は、作業者により押された運転スイッチからの信号を受け、自動的に襖押さえバーを移動させ、襖を襖押さえバー間に挟み込み、所定時間乾燥させた後に襖の挟み込みを解除することを特徴とする請求項１記載の襖の乾燥装置である。
【００１１】
運転スイッチからの信号を受けて襖の乾燥装置が載置した襖を自動的に挟み込んで加熱し、端面を乾燥させて、所定時間後にその挟み込みを解除するために作業者は効率的に他の作業をしながら襖の乾燥も順次行うことが可能となり、襖の張り替え作業全体の効率化ができるのである。
【００１２】
本発明の請求項３は、襖押さえバーに、発熱体と、弾性変形をする押さえ部材と、上記発熱体と上記押さえ部材を覆う伝熱体からなる加熱部を構成し、襖枠に釘が残った状態でも襖の乾燥ができることを特徴とする請求項１または請求項２記載の襖の乾燥装置である。
【００１３】
請求項１記載の発明と請求項２記載の発明に、襖枠に釘が残った状態でも襖の乾燥ができるようにする構成をしたものであり、これによって自動化した装置で、釘が残っていても残っていなくても効率的に襖の乾燥ができる装置が提供できることとなる。
【００１４】
本発明の請求項４は、二本の襖押さえバーの間に襖を挟み込んで対抗する二端面を加熱して乾燥させる襖乾燥装置において、襖を挟み込む際の襖押さえバーの襖への押付け力を調整可能としたことを特徴とする請求項１乃至請求項３記載の襖の乾燥装置である。
【００１５】
本発明によって、釘のある場合や、襖に曲がりがある場合にはその程度によって襖押付けバーの押付け力を調整することで確実に乾燥する端面を押さえて乾燥させることができる。また、押付け力を調整することで力をかけすぎることがなくなるため、発熱体の熱を伝熱させる部材や、面発熱体等にかかる力を最小限の程度に調整することができ、面発熱体等の耐久性の向上を計ることができるのである。
【００１６】
【発明の実施の形態】
本発明の実施の形態の一例を説明する。図１は本発明の襖の乾燥装置１の正面図および側面図である。襖の乾燥装置１は、基台２にやや後傾に設けられたフレーム３ａ、３ｂ、３ｃを有し、駆動力で昇降する襖押さえバー４ａと、基台１付近に設置された下襖押さえバー４ｂとを有し、この襖押さえバー４ａと下襖押さえバー４ｂで襖を挟んで乾燥する構成としている。そして襖押さえバー４ａの昇降に邪魔にならない位置に操作ボックス８が設けられている。
【００１７】
襖押さえバー４ａは、図２から図４に示すように、左右のフレーム３ａ、３ｃの上端、下端に設けられたスプロケット５に張られたチェーン６に設けられたブラケット７に取り付けられ、駆動力（例えばモーターなど）でフレーム３ａ、３ｂ、３ｃに沿って昇降できる構成となっている。また駆動力はフレーム３ａ側もしくはフレーム３ｃ側のいずれかだけにかけるようにして上端または下端の左右のスプロケット５を軸で連結しておくとよい。もちろん両側に駆動力を設けて同期させて昇降をさせるように制御してもよい。
【００１８】
また、襖押さえバー４ａはブラケット７に対しても一定範囲昇降ができる構成としている。襖押さえバー４ａは、側面視略コの字状のハンガー１０に取り付けられている。このハンガー１０のブラケット７のガイド部７１に保持されている。ハンガー１０には２本のガイド１１ａ、１１ｂが設けられガイド１１ａには第１バネ１２ａと第２バネ１２ｂが設けられている。第１バネ１２ａと第２バネの間にスペーサー１３が設けられている。このスペーサー１３はガイド１１ａ、１１ｂの太さよりも少し大きな穴が設けられており第１バネ１２ａと第２バネ１２ｂの働きを確実にさせる働きをするものである。そして第１バネ１２ａの方が第２バネ１２ｂよりバネ力が弱く設定されている。
【００１９】
ハンガー１０には、検知スイッチ１４が設けられており、襖を下襖押さえバー４ｂとの間に挟み込んだ際にブラケット７のストライカー部７２が当接したことを検知するものである。
【００２０】
襖押さえバー４ａと下襖押さえバー４ｂには襖の周面を乾燥させるために、加熱部１５（図５（ａ）参照）がそれぞれ設けられている。この加熱部１５は特開２００２−９７８５３号に開示されているように、襖枠に釘が残っている状態でも乾燥作業ができるように構成しており、内部に面発熱体１５ａ、熱に強いウレタンやシリコン等の弾性体１５ｂ、プレート１５ｃを有し、金属の細い糸で布帛のように目の詰まった状態に織られた伝熱体１５ｄで覆われている。そして、それぞれのバーに対して内部のプレート１５ｃを用いてネジ固定されている。
【００２１】
面発熱体１５ａと弾性体１５ｃの位置を入れ替えて配置してもよいが、そうするとネジの頭等の影響を面発熱体１５ａが受けることになるため、なるべく面発熱体を損傷しないように配置することが望ましい。そのために弾性に富んだ熱伝導率のよい伝熱体で覆っておくことが重要なのである。もちろん図５（ｂ）のように面発熱体１５ａを設置してから弾性体１５ｂとプレート１５ｃを伝熱体１５ｄで覆った加熱部１５を取付部材１８で加熱部１５の側面側からプレート１５ｃを抱き込むように複数の保持部１８ａを伝熱体１５ｄを貫通させて保持するようにしてもよい。こうしておくと、万一加熱部１５や、面発熱体１５ａが損傷して交換しなければならない状況となってもメンテナンスがしやすい構造とできるのである。
【００２２】
操作ボックスの一例の実施の形態を図６に示す。２１は電源スイッチであり、２１ａは電源ランプである。２２は予熱スイッチであり、電源スイッチ２１を入れてから予熱を開始するスイッチでこのスイッチを押すと、加熱部は乾燥時間を設定するタイマー２７の設定時間通電する。２３はヒーター加熱中を知らせるランプである。２４は襖枠に釘が残っている場合に押付け力を大きくする際に使用するスイッチである。２５は機械の動作の手動と自動の切替スイッチである。２６は押付け力を変える時に、その押付け力を調整するためのタイマーである。押付け力の調整については後述する。２７は乾燥時間を設定するタイマーである。
【００２３】
フットスイッチＳ（図１参照）は操作をしやすくするために設けており、スイッチが２つついているものが適当である、スイッチ２５を手動にしたときは片方が上昇、もう片方が下降、自動にしたときには片方が運転、片方が停止・解除として使用できる。
【００２４】
次に本発明の襖の乾燥装置の動作について説明する。
【００２５】
２４のスイッチで押付け力の強弱、２６のスイッチで押付け力の調整、２７のスイッチで乾燥時間の設定をまず行っておき、装置の電源を入れ、面発熱体を予熱しておく。常に面発熱体を加熱状態としてもよいが、伝熱体１５ｄはある程度蓄熱ができるため、不要な電力を消耗させないため乾燥温度に短時間で上昇させられるよう連続運転の初めに１度行うだけでよい。
【００２６】
予熱が終了すれば、上貼りの完了した襖Ｆを乾燥させたい側が乾燥部１５に対するように襖Ｆを載置する。もし縦方向の乾燥のために襖押さえバー４ａを昇降させたいときは２５のスイッチを手動にしてフットスイッチＳで適宜な位置へ襖押さえバー４ａを昇降させる。
【００２７】
襖Ｆを載置すれば、２５のスイッチを自動にしてフットスイッチＳの運転スイッチをオンする。襖押さえバー４ａが下降を開始し、図７（ａ）に示すように加熱部１５が襖Ｆの端面（かまち）に当接する。
【００２８】
加熱部１５は襖Ｆの端面に応じて弾性変形する。そして襖Ｆで支えられる状態となり、ここからはブラケット７のみが下降をすることとなり、第１のバネ１２ａがハンガー１０のガイド部７１によって圧縮される。
【００２９】
このブラケット７の下降により図７（ｂ）のようにストライカー部７２が検知スイッチ１４を作動させる。図に示すようにブラケット７はＸの距離だけ下降した状態となる。
【００３０】
検知スイッチ１４が作動すると、スイッチ２６で設定した時間経過した後、ハンガー１０昇降の駆動力が停止するように制御される。すなわちスイッチ２６で設定した時間により検知スイッチ１４作動後の下降時間を調整することによって襖Ｆへの襖押さえバー４ａの押付け力を調整できるようにしているのである。
【００３１】
２４のスイッチが弱設定のときは所定時間襖押さえバー４ａが下降して止まる、２４のスイッチが強設定になっている場合には釘が出張っている分さらに下降して止まるという動作となる。つまり、図７（ｃ）に示すように、弱設定の時はＹの距離まで下降、強設定の時は弱設定の場合よりさらに所定時間分下降させるという制御を行いＹ’の距離まで下降させるという制御を行うのである。これにより第２のバネ１２ｂをどれだけ圧縮させるかを調整し、結果として襖Ｆに対して加熱部１５の押付け力を調整するのである。この２６のタイマー設定を長くしておくと、襖枠に釘が残った状態でも襖の曲がりの大きい場合でも、確実に押しつけて乾燥させることができる。（図８参照）釘のない部分は強く押しつけることになるが、襖枠を壊してしまうようなことはなく確実に乾燥させることができる。
【００３２】
上記の制御はフレーム３ａ、３ｃのいずれの側にも設置しており、いずれかが先に検知すれば上記の動作となる。
【００３３】
長方形に近い襖を乾燥させる場合は２４のスイッチは弱でよく、敷居や柱にそって大きな曲がりのある襖や、襖枠に釘の残った状態の襖を乾燥させる場合に２４のスイッチを強とし、その程度によって２６のタイマー設定を調節して確実に加熱部１５を襖端面に押しつけて乾燥させるというものである。
【００３４】
２６のスイッチで設定時間下降した後、２７のスイッチで設定された時間だけ加熱部１５の面発熱体１５ａを加熱して襖を乾燥させる。
【００３５】
乾燥時間が経過すると駆動力が逆転し、ハンガー１０を襖の取り出しに邪魔にならない位置へ上昇させ乾燥動作が完了する。加熱部１５は弾性体１５ｂの復元によってほぼ押付け前の形状に復元している。
【００３６】
上記の乾燥動作を襖の縦方向、横方向効率よく行って順次乾燥をさせていくのであるが、作業者は実際には襖Ｆの載置後、フットスイッチＳで運転スイッチを入れるだけで乾燥終了（ハンガー上昇）までは他の作業が行えるため大変効率的に多種の作業が行える。したがってハンガー１０の初期位置を縦方向もできる位置としておけば襖の載置、襖の入れ替え、襖の縦横の方向の入れ替えと運転スイッチのオン動作程度の負担でよく、他の作業をしながら効率的に乾燥作業を行えるようにできるのである。
【００３７】
また、上記の実施の形態では下襖押さえバー４ｂを固定した構成としたが、襖押さえバー４ａ同様に下襖押さえバー４ｂも昇降する構成としてもよい。この場合には、襖Ｆはフレーム３ａ、３ｂ、３ｃに沿って下襖押さえバー４ｂによって昇降することとなり、襖押さえバー４ａと下襖押さえバー４ｂによって挟み込まれるという動作となる。このように下襖押さえバー４ｂを昇降させると襖縦方向、横方向の時の乾燥の際、押さえバー自身の移動時間を短縮させることができ、より効率的とできる。襖は重量が軽いため、モータは一つで襖押さえバー４ａと下襖押さえバー４ｂの両方を昇降可能とできる。
【００３８】
その他の実施例として、ハンガー部１０の第１バネ、第２バネの機構を下押さえバー４ｂ側に設けてもよい。また、図９に示すように、第１バネ、第２バネの機構を使用せずにハンガー１０にソレノイド、エアシリンダー等のアクチュエータ１６を取付け、襖押さえバー４ａに襖Ｆの端面を検知するセンサ１７を適宜な位置に設けて、襖Ｆの端面（かまち）をセンサ１７が検知した時に、ハンガー１０の下降を停止し、アクチュエータ１６を作動させるという構成としてもよいのである。アクチュエータとしてエアシリンダーを用いた場合には、圧力調整により押付け力が適宜変更することができる構成とできる。
【００３９】
【発明の効果】
以上に詳述したように、本件発明によって、設置場所を取らず、襖の乾燥において自動化が図れ、作業者が他の作業を行いながら乾燥作業ができるという効率的な襖の乾燥装置が提供できる。
【図面の簡単な説明】
【図１】本発明の実施形態の例を示す正面図および側面図
【図２】襖押付けバー部の構成を説明する側面図
【図３】襖押付けバー部の構成を説明する背面図
【図４】襖押付けバー部の構成を説明する平面図
【図５】加熱部の構成を説明する側面図
【図６】操作ボックスの例を説明する正面図
【図７】襖押付けバーが襖を押付けて乾燥する動作を説明する図
【図８】襖枠に釘が残っている襖の乾燥状態を説明する側面図
【図９】襖押付けバー部の別の実施の形態の構成を説明する側面図
【符号の説明】
Ｆ    襖
Ｓ    フットスイッチ
１    乾燥装置
２    基台
３ａ、３ｂ、３ｃ  フレーム
４ａ  襖押さえバー
４ｂ  下襖押さえバー
５    スプロケット
６    チェーン
７    ブラケット
７１  ガイド部
７２  ストライカー部
８    操作ボックス
１０  ハンガー
１１ａ、１１ｂ  ガイド
１２ａ  第１バネ
１２ｂ  第２バネ
１３    スペーサー
１４    検知スイッチ
１５    加熱部
１５ａ  発熱体
１５ｂ  弾性体
１５ｃ  プレート
１５ｄ  伝熱体
１６    アクチュエータ
１７    センサ
１８    取付部材
１８ａ  保持部
【図１】
2004211512.tif 000003
【図２】
2004211512.tif 000004
【図３】
2004211512.tif 000005
【図４】
2004211512.tif 000006
【図５】
2004211512.tif 000007
【図６】
2004211512.tif 000008
【図７】
2004211512.tif 000009
【図８】
2004211512.tif 000010
【図９】
2004211512.tif 000011